(57)【要約】【課題】センサ端末の警戒モード設定、または解除を行うと同時に、設定した警戒モードに合った機器の一括制御を行うことでより便利なセンタ端末、機器の制御システムを提供すること。【解決手段】警戒モード設定手段１０５、または警戒モード解除手段１０６は、設定された警戒モードでの処理を警戒モード情報１０７から読み、センサ端末制御手段１０８、機器制御手段１０９を用い、センサ端末制御Ｉ／Ｆ１１０、機器制御Ｉ／Ｆを介して機器を制御し、センサ端末に警戒モードを設定する。これによって、外出時や、就寝時といったセンサ端末に警戒モードを設定するシーンで、同時に機器の一括制御を行う。【選択図】図１
2005332022.tif 000002
【特許請求の範囲】
【請求項１】
機器とセンサ端末を制御可能で、前記センサ端末のセンシングを有効にすることによる警戒機能として外出警戒モード、在宅警戒モード等の各種警戒モードを備え、前記警戒モード設定、または／および解除時に前記警戒モードに合わせた前記機器の制御を行うことを特徴とする制御システム。
【請求項２】
空調機器を制御可能で、前記警戒モード設定、または／および解除時に前記警戒モードに合わせた空調機器の制御を行うことを特徴とする請求項１記載の制御システム。
【請求項３】
給湯・暖房機器を制御可能で、前記警戒モード設定、または／および解除時に前記警戒モードに合わせた前記給湯・暖房機器の制御を行うことを特徴とする請求項１または２記載の制御システム。
【請求項４】
照明機器を制御可能で、前記警戒モード設定、または／および解除時に前記警戒モードに合わせた前記照明機器の制御を行うことを特徴とする請求項１〜３のいずれか１項記載の制御システム。
【請求項５】
ＡＶ機器を制御可能で、前記警戒モード設定、または／および解除時に前記警戒モードに合わせた前記ＡＶ機器の制御を行うことを特徴とする、請求項１〜４のいずれか１項記載の制御システム。
【請求項６】
電動シャッターを制御可能で、前記警戒モード設定、または／および解除時に前記警戒モードに合わせた前記電動シャッターの制御を行うことを特徴とする、請求項１〜５のいずれか１項記載の制御システム。
【請求項７】
電気錠を制御可能で、前記警戒モード設定、または／および解除時に前記警戒モードに合わせた前記電気錠の制御を行うことを特徴とする、請求項１〜６のいずれか１項記載の制御システム。
【請求項８】
前記警戒モード設定、または／および解除時に制御する機器の選択および選択した機器の制御内容を設定することができることを特徴とする、請求項１〜７のいずれか１項記載の制御システム。
【請求項９】
請求項１〜８のいずれか１項記載の制御システムの機能の少なくとも一部をコンピュータに実行させるためのプログラム。
【発明の詳細な説明】
【技術分野】
【０００１】
本発明は家電機器、センサ端末、住宅設備機器の制御システムおよびそのプログラムに関するものである。
【背景技術】
【０００２】
従来、センサ端末を用いて侵入検知を行う場合、利用者が外出するとき、もしくは就寝するときにセンサ端末のセンシングを有効にするように、センサ端末に警戒モードと非警戒モードとを設け、制御端末によるモード切り替えができるようにしている（例えば、特許文献１）。このとき外出警戒モードと在宅警戒モードでは、有効にするセンサ端末が異なる。例えば外出警戒モードは、全てのセンサを有効にし、在宅警戒モードは、利用者の動きに反応しないように外に面した窓や扉に取付けられたセンサ端末のみを有効とする、などである。また一方で、侵入検知を行うセンサ端末のみでなく、エアコン等の家電機器や、電気錠等の住宅設備機器の制御、監視が一括して行なえるようなホームネットワークシステムの需要が高まっている。
【特許文献１】特開平５−１４３８７２号公報
【発明の開示】
【発明が解決しようとする課題】
【０００３】
しかしながら、センサ端末、家電機器、住宅設備機器等を制御、監視する制御システムにおいて、制御端末上にセンサ端末の警戒モード設定や解除を行う画面と、各機器の制御を行う画面が個別に存在し、例えば外出時に、制御端末で機器の電源を切ってからセンサ端末を外出警戒モードに入れる場合、機器が増えると操作が煩雑となる、という課題を有していた。
【０００４】
本発明は、上記従来の課題を解決するもので、センサ端末を警戒モードに設定するときに警戒モードに合わせて、家電機器、住宅設備機器等を複合的に制御することが可能な制御システムを提供することを目的とする。
【課題を解決するための手段】
【０００５】
前記従来の課題を解決するために、本発明の制御システムおよびそのプログラムはセンサ端末の警戒モード設定時に、機器を警戒モードに合わせた制御をする構成としたものである。
【０００６】
これによって外出時や就寝時等、生活のシーンに合わせて機器を一括制御することができる。
【発明の効果】
【０００７】
本発明の制御システムおよびそのプログラムは、外出時や就寝時等にセンサ端末を警戒モードに設定すると同時に、他の家電機器、住宅設備機器を設定した警戒モードに合わせて制御することで、より便利なセンサ端末、機器の制御システムを構築することができる。
【発明を実施するための最良の形態】
【０００８】
第１の発明は、機器とセンサ端末を制御可能で、センサ端末のセンシングを有効にすることによる警戒機能として、外出警戒モード、在宅警戒モード等の警戒モードを備え、警戒モード設定時にそれに合わせた機器の制御を行う制御システムを提供するものである。
【０００９】
これによって外出時や就寝時等、生活のシーンに合わせて機器を一括制御することができ、より便利なセンサ端末、機器の制御システムを構築することができる。
【００１０】
第２の発明は、特に、第１の発明の機器を空調機器とした場合である。これによって、例えば、外出前に空調機器の電源を切る場合、外出警戒モード設定時に一括で電源を切るように制御することで、外出時の準備に手間を掛けずに済む。帰宅後に電源を入れる場合も同様で、外出警戒の解除と同時に電源を入れることができる。
【００１１】
第３の発明は、特に、第１の発明の機器を給湯・暖房機器とした場合で、これによって、例えば、外出前に給湯・暖房機器の電源を切り、外出警戒モード設定時に一括で電源を切るように制御することで、外出時の準備に手間を掛けずに済む。帰宅後に電源を入れる場合も同様で、外出警戒の解除と同時に電源を入れることができる。
【００１２】
第４の発明は、特に、第１の発明の機器を照明機器とした場合で、これによって、例えば、外出前に照明機器の電源を切る場合、外出警戒モード設定時に一括で電源を切るように制御することで、外出時の準備に手間を掛けずに済む。帰宅後に電源を入れる場合も同様で、外出警戒の解除と同時に電源を入れることができ、例えばリビングの照明のみ電源を入れる、などの制御ができる。
【００１３】
第５の発明は、特に、第１の発明の機器をＡＶ機器とした場合で、これによって、例えば、外出前にＡＶ機器の電源を切る場合、外出警戒モード設定時に一括で電源を切るように制御することで、外出時の準備に手間を掛けずに済む。
【００１４】
第６の発明は、特に、第１の発明の機器を電動シャッターとした場合である。電動シャッターの場合、取付け場所によって警戒時の開閉制御が異なる。例えば外出時、窓に取付けられた電動シャッターであれば閉じ、車のガレージに取付けられたものであれば開ける、などである。さらに、帰宅後に警戒モードを解除すると、窓に取付けられたものは開け、ガレージのものは閉じる、などである。
【００１５】
第７の発明は、特に、第１の発明の機器を電気錠としたもので、外出警戒モード設定時は、利用者自身が外に出てから施錠を行うので開閉制御を行わない。また、就寝時等の在宅警戒モード設定時には閉める、等を行うことで施錠の確認となる。
【００１６】
第８の発明は、警戒モード設定、または／および解除時に制御する機器の選択、および／または制御の内容を設定することができる制御システムを提供するものである。これによって、警戒モード設定、または／および解除時の機器制御の内容を利用者が、自分の生活に合うようにカスタマイズできる。
【００１７】
第９の発明は、特に、第１〜第８のいずれか１つの発明の制御システムの機能の少なくとも一部をコンピュータに実行させるためのプログラムである。
【００１８】
そして、プログラムであるので、電気・情報機器、コンピュータ、サーバ等のハードリソースを稼動させて本発明の制御システムの少なくとも一部を容易に実現することができる。また記録媒体に記録したり、通信回線を用いてプログラムを配信したりすることでプログラムの配布・更新やそのインストール作業が簡単にできる。
【００１９】
（実施の形態１）
図１は、本発明の第１の実施の形態における制御システムのブロック構成図である。
【００２０】
図１において本発明の制御システムは、制御端末１０１と、少なくとも１つの機器１１２と、少なくとも１つのセンサ端末１１５で構成される。
【００２１】
制御端末１０１は、表示装置１０２と、入力装置１０３と、手段、情報を記録するメモリ付き制御装置１０４と、機器１１２と情報をやり取りするための機器制御Ｉ／Ｆ１１１と、センサ端末１１５と情報をやり取りするためのセンサ端末制御Ｉ／Ｆ１１６によって構成される。また、メモリ付き制御装置１０４には機器１１２を制御するための機器制御手段１０９と、センサ端末１１５を制御するセンサ端末制御手段１０８と、それら機器制御手段１０９、センサ端末制御手段１０８を利用して警戒モード設定を行う警戒モード設定手段１０５と、警戒モード解除を行う警戒モード解除手段１０６と、警戒モード設定手段１０５、警戒モード解除手段１０６によって参照される、警戒モードについての設定情報である警戒モード情報１０７が格納されている。
【００２２】
機器１１２は制御端末１０１と情報のやり取りをするための機器制御Ｉ／Ｆ１１３と、機器１１２の制御を行う機器制御部１１４によって構成される、空調機器、給湯・暖房機器、照明機器、ＡＶ機器、電動シャッター、電気錠等である。
【００２３】
センサ端末１１５は、制御端末１０１と情報のやり取りをするためのセンサ端末制御Ｉ／Ｆ１１６と、センサ端末１１５の制御を行うセンサ端末制御部１１７によって構成される、開閉センサ、人感センサ等である。
【００２４】
以上のように構成された制御端末について、以下その動作、作用を説明する。
【００２５】
利用者が、例えば外出しようとした場合、制御端末１０１上の入力装置１０３を用いて表示装置１０２に表示される情報をもとに、「外出警戒モード」を選択し、設定する。これによって、制御端末１０１では、警戒モード設定手段１０５が実行される。ここで、図２は本発明の第１の実施の形態における制御システムおよびそのプログラムのフローチャートである。
【００２６】
図２において、まずステップＳ２０１で制御端末１０１に警戒モードへの設定が行われると、ステップＳ２０２で警戒モード情報１０７が読み込まれる。この警戒モード情報１０７には各警戒モードにおける、各機器の制御の有無、各機器の制御の内容、センシングを有効にするセンサのリスト等の情報が記録されており、これを読み込むことでステップＳ２０４〜ステップＳ２１８までの各警戒モードにおける処理手順が全て決定する。
【００２７】
次にステップＳ２０１で設定された警戒モードがステップ２０３で判定される。ステップＳ２０２とステップＳ２０３の順番は問わない。
【００２８】
ここでは、「外出警戒モード」に設定されたので、ステップＳ２０４〜ステップＳ２０８の処理が実行される。この処理には、「外出警戒モードは空調機器、給湯・暖房機器、照明機器の電源切、電動シャッターを閉じたあとで、全てのセンサ端末を警戒モードにする」、といった機器の種類毎の一括制御を行うものや、「在宅警戒モードでは照明機器Ａは電源を切り、１階の照明機器Ｂは１分後に電源を切り、空調機器は制御せず、外に面した場所に設置されたセンサ端末のみ警戒モードにする」、というように機器毎に、制御内容も含めて設定ができるものがあり、制御端末１０１上で設定が行え、警戒モード情報として記録することができる。
【００２９】
ステップＳ２０４〜ステップＳ２０８の処理は、機器制御手段１０９、センサ端末制御手段１０８によって機器制御Ｉ／Ｆ１１１、センサ端末制御Ｉ／Ｆ１１０を介して機器制御部１１４、センサ端末制御部１１７に制御命令が送られ、実行される。ここで、機器制御Ｉ／Ｆ１１１と、センサ端末制御Ｉ／Ｆ１１０は同一のものでもよく、その場合、制御端末１０１に用意される制御用Ｉ／Ｆは１つでよい。
【００３０】
また、警戒モード解除時にも同様に機器の制御を設定することができ、警戒モード情報１０７に記録し、警戒モード解除手段１０６によって処理される。
【００３１】
以上のように、本実施の形態においては警戒モード設定手段１０５または解除手段１０６によってセンサ端末１１５の警戒モード設定を行うのみでなく、機器の制御を行う構成することにより、外出時や、就寝時といった生活のシーンに合わせた機器の一括制御を行うことができ、さらに警戒モード設定、または解除時の機器制御の設定である、警戒モード情報１０７を細かく設定できる構成とすることで、個人の生活パターンに合わせた細かな機器制御を行うことができ、より便利なセンサ端末、機器の制御システムを提供することができる。
【００３２】
なお、実施の形態１で説明した手段は、ＣＰＵ、ＲＡＭ、ＲＯＭ、記憶・記録装置、Ｉ／Ｏなどを有する電気・情報機器、コンピュータ、サーバ等のハードリソースを協働させるプログラムの形態で実施しても良い。プログラムであれば、磁気メディアや光メディアなどの記録媒体に記録したりインターネットなどの通信回線を用いて配信することでプログラムの配布・更新やそのインストール作業が簡単にできる。
【産業上の利用可能性】
【００３３】
以上のように、本発明にかかる制御システムおよびそのプログラムは、警戒モード設定時に、その目的に合った機器の一括制御を行うことができるので、外出時に限らず、生活のあらゆるシーンに対応した便利なセンサ端末、機器の制御システムを構築することができる。
【図面の簡単な説明】
【００３４】
【図１】本発明の実施の形態１における制御システムのブロック構成図
【図２】本発明の実施の形態１における制御システムおよびそのプログラムのフローチャート
【符号の説明】
【００３５】
１０１  制御端末
１０２  表示装置
１０３  入力装置
１０４  メモリ付き制御装置
１０５  警戒モード設定手段
１０６  警戒モード解除手段
１０７  警戒モード情報
１０８  センサ端末制御手段
１０９  機器制御手段
１１０  センサ端末制御Ｉ／Ｆ
１１１  機器制御Ｉ／Ｆ
１１２  機器（空調機器、給湯・暖房機器、照明機器、ＡＶ機器、電動シャッター、電気錠など）
１１３  機器制御Ｉ／Ｆ
１１４  機器制御部
１１５  センサ端末
１１６  センサ端末制御Ｉ／Ｆ
１１７  センサ端末制御部
【図１】
2005332022.tif 000003
【図２】
2005332022.tif 000004